(57)【要約】  負荷制御装置（１００）は、停電発生後も給電装置から供給される電力を使って負荷装置（４００）に電力を供給可能な電源系（２００）に接続された負荷装置（４００）を制御する装置である。負荷制御装置（１００）は、停電の発生を検出する停電検出部と、負荷装置（４００）の過去の稼動状態を示す過去情報を取得する過去情報取得部と、停電発生検出後、過去情報に基づき負荷装置（４００）を制御する稼動制御部と、を備えている。
2014184870.tif 000002
【特許請求の範囲】
【請求項１】
停電発生後も給電装置から供給される電力を使って負荷装置に電力を供給可能な電源系に接続された前記負荷装置を制御する負荷制御装置であって、
停電の発生を検出する停電検出手段と、
前記負荷装置の過去の稼動状態を示す過去情報を取得する過去情報取得手段と、
停電発生検出後、前記過去情報に基づき前記負荷装置を制御する稼動制御手段と、を備える、
負荷制御装置。
【請求項２】
前記給電装置が供給可能な電力の上限値の情報を取得する上限値情報取得手段、を備え、
前記稼動制御手段は、停電発生検出後、前記過去情報と前記上限値とに基づき前記負荷装置を制御する、
請求項１に記載の負荷制御装置。
【請求項３】
前記負荷装置の現在の稼動状態の情報を所定時間毎に記憶部に保存する稼動状態情報保存手段、を備え、
前記過去情報取得手段は、前記停電発生検出後、前記記憶部から前記停電発生直前の前記負荷装置の稼動状態の情報を前記過去情報として取得し、
前記稼動制御手段は、
前記停電発生直前の前記負荷装置の稼動状態において消費される消費電力が前記上限値以下に収まっているか否か判別し、
収まっている場合には、前記負荷装置の稼動状態が、前記停電発生直前の前記負荷装置の稼動状態となるように前記負荷装置を制御する、
請求項２に記載の負荷制御装置。
【請求項４】
前記過去情報取得手段は、時の属性を示す属性情報とその属性情報が示す時に前記負荷装置が採る頻度の高かった稼動状態とを関連付けた情報を複数記憶した稼動パターン情報を前記過去情報として取得し、
前記稼動制御手段は、現在の時の属性と一致する属性情報が関連付けられた稼動状態であってその消費電力が前記上限値以下となる稼動状態を前記稼動パターン情報の中から選択し、選択した稼動状態となるように前記負荷装置を制御する、
請求項２に記載の負荷制御装置。
【請求項５】
前記負荷装置の現在の稼動状態の情報を所定時間毎に記憶部に保存する稼動状態情報保存手段、を備え、
前記過去情報取得手段は、
前記停電発生検出後、前記記憶部から前記停電発生直前の前記負荷装置の稼動状態の情報を前記過去情報として取得し、
時の属性を示す属性情報とその属性情報が示す時に前記負荷装置が採る頻度の高い稼動状態とを関連付けた情報を複数記憶した稼動パターン情報を前記過去情報として取得し、
前記稼動制御手段は、
前記停電発生直前の前記負荷装置の稼動状態において消費される消費電力が前記上限値以下でありかつ上限値から一定の範囲に収まっているか否か判別し、
収まっている場合には、前記負荷装置の稼動状態が、前記停電発生直前の前記負荷装置の稼動状態となるように前記負荷装置を制御し、
収まっていない場合には、現在の時の属性と一致する属性情報が関連付けられた稼動状態であってその消費電力が前記上限値以下となる稼動状態を前記稼動パターン情報の中から選択し、選択した稼動状態となるように前記負荷装置を制御する、
請求項２に記載の負荷制御装置。
【請求項６】
前記過去情報取得手段は、時の属性を示す属性情報とその属性情報が示す時に前記負荷装置が採る頻度の高い稼動状態とを関連付けた情報を複数記憶した稼動パターン情報を前記過去情報として取得し、
前記稼動制御手段は、
前記停電発生直前の前記負荷装置の稼動状態において消費される消費電力が前記上限値以下に収まっているか否か判別し、
収まっている場合には、前記負荷装置の稼動状態が、前記停電発生直前の前記負荷装置の稼動状態となるように前記負荷装置を制御し、
収まっていない場合には、現在の時の属性と一致する属性情報が関連付けられた稼動状態であってその消費電力が前記上限値以下となる稼動状態を前記稼動パターン情報の中から選択し、選択した稼動状態となるように前記負荷装置を制御する、
請求項３に記載の負荷制御装置。
【請求項７】
前記記憶部に保存されている前記負荷装置の過去の稼動状態の情報に基づいて前記稼動パターン情報を生成する稼動パターン情報生成手段、を備える、
請求項４乃至６のいずれか１項に記載の負荷制御装置。
【請求項８】
前記給電装置は、蓄電装置であり、
前記上限値情報取得手段は、前記蓄電装置の蓄電量の情報に基づいて前記上限値を算出する、
請求項２乃至７のいずれか１項に記載の負荷制御装置。
【請求項９】
停電発生後も給電装置から供給される電力を使って負荷装置に電力を供給可能な電源系に接続された前記負荷装置を制御する負荷制御方法であって、
停電の発生を検出する停電検出ステップと、
前記負荷装置の過去の稼動状態を示す過去情報を取得する過去情報取得ステップと、
停電発生検出後、前記過去情報に基づき前記負荷装置を制御する稼動制御ステップと、を有する、
負荷制御方法。
【請求項１０】
停電発生後も給電装置から供給される電力を使って負荷装置に電力を供給可能な電源系に接続された前記負荷装置を制御する負荷制御装置を制御するコンピュータに、
停電の発生を検出する停電検出機能と、
前記負荷装置の過去の稼動状態を示す過去情報を取得する過去情報取得機能と、
停電発生検出後、前記過去情報に基づき前記負荷装置を制御する稼動制御機能と、を実現させる、
プログラム。
【発明の詳細な説明】
【技術分野】
【０００１】
本発明は、負荷制御装置、負荷制御方法、及びプログラムに関する。
【背景技術】
【０００２】
住宅内の機器を外部電力ではなく内部電力（例えば、蓄電装置や発電装置等の住宅に設置された給電装置が供給する電力）で動作させる場合がある。この場合、給電装置の電力供給能力に限度があることから、給電装置が供給できる電力の上限を考慮して、機器の稼動を抑制する必要がある。【０００３】
特許文献１には、蓄電池を活用して電力供給するときに、なるべく多くの電気製品が動作できるように電気製品への電力供給を制御するデマンドサイドマネージメントシステムが開示されている。また、特許文献２には、太陽電池の発電量や蓄電装置の充電レベルに合わせて、負荷装置の消費電力レベルを制御する給電管理装置が開示されている。
【先行技術文献】
【特許文献】
【０００４】
【特許文献１】特開２０００−０２３３５９号公報
【特許文献２】特開２０１１−０８２２７７号公報
【発明の概要】
【発明が解決しようとする課題】
【０００５】
停電の発生により、電力源が外部電力から内部電力に切り替わることがある。停電が発生すると多くの負荷装置は動作を停止するが、内部電力の供給が開始されたとしても、起動しないか、もしくは、停電発生前の状態とは異なった状態で起動する。この場合、ユーザは著しい不便・不快を感じることになる。【０００６】
また、内部電力で負荷装置を動作させる場合、負荷装置の使用電力が蓄電装置や発電装置の給電能力を超えないよう負荷装置の使用電力を抑制する必要がある。特許文献１や２の装置を使用すれば、負荷装置の使用電力を給電装置の給電能力以下に抑制できる。しかしながら、特許文献１や２の装置は、抑制する負荷が固定的であり、ユーザの利便性を考慮して負荷を抑制するものではない。そのため、例え特許文献１や２の装置に停電を検出する機能を追加し、特許文献１や２の装置を停電発生後に負荷装置の使用電力を抑制できるよう構成したとしても、ユーザの不便・不快は解消できない。【０００７】
本発明はこのような問題に鑑みてなされたものであり、停電が発生したとしても負荷装置の稼動状態を利便性が高いまま維持可能な負荷制御装置、負荷制御方法、及びプログラムを提供することを目的とする。
【課題を解決するための手段】
【０００８】
本発明の負荷制御装置は、停電発生後も給電装置から供給される電力を使って負荷装置に電力を供給可能な電源系に接続された負荷装置を制御する負荷制御装置である。負荷制御装置は、停電の発生を検出する停電検出手段と、負荷装置の過去の稼動状態を示す過去情報を取得する過去情報取得手段と、停電発生検出後、過去情報に基づき負荷装置を制御する稼動制御手段と、を備えている。
【発明の効果】
【０００９】
本発明によれば、停電が発生したとしても負荷装置の稼動状態を利便性が高いまま維持できる。
【図面の簡単な説明】
【００１０】
【図１】本発明の実施の形態に係る負荷制御装置の設置状態を説明するための図である。
【図２】本発明の実施の形態に係る負荷制御装置の構成を説明するための図である。
【図３】図２に示す制御部が有する機能を説明するための機能ブロック図である。
【図４】図２に示す記憶部に記憶される稼動状態データを説明するための図である。
【図５】稼動状態データに格納される稼動状態情報を説明するための図である。
【図６】図２に示す記憶部に記憶される稼動パターン情報を説明するための図である。
【図７】稼動状態情報保存処理を説明するためのフローチャートである。
【図８】稼動パターン情報生成処理を説明するためのフローチャートである。
【図９】実施の形態１の負荷制御処理を説明するためのフローチャートである。
【図１０】稼動状態選択処理を説明するためのフローチャートである。
【図１１】実施の形態２の負荷制御処理を説明するためのフローチャートである。
【図１２】実施の形態３の負荷制御処理を説明するためのフローチャートである。
【発明を実施するための形態】
【００１１】
以下、本発明を実施するための形態について図面を参照しながら説明する。
【００１２】
（実施の形態１）
本発明の実施の形態に係る負荷制御装置１００は、電源系２００に接続された負荷装置４００を制御するための装置である。負荷装置４００は、例えば、エアコン、冷蔵庫、照明等の電気機器である。負荷制御装置１００は、これら負荷装置４００の稼動状態を受信するとともに、制御情報を送信する等して負荷装置４００を制御可能となっている。なお、負荷制御装置１００が制御対象とする負荷装置４００は、必ずしも住宅内の全ての負荷装置でなくてもよい。例えば、一定量の電力を消費する住宅内の主な負荷装置のみを制御対象とすることも可能である。
【００１３】
電源系２００は、単相三線電源等の宅内配電系統である。電源系２００は、図１に示すように、配電盤２１０を備えている。配電盤２１０は、外部から供給される電力（以下、「外部電力」という。）を住宅内の負荷装置４００に分配する。配電盤２１０には、蓄電装置３００が接続されている。蓄電装置３００は、リチウムイオン電池等の二次電池から構成される。配電盤２１０は、外部電力が停止すると、蓄電装置３００から供給される電力を使って負荷装置４００に電力を供給する。
【００１４】
給電線引込口付近の電力線には、外部電力を計測するための計測装置５００が接続されている。計測装置５００は、電流計や電圧計等から構成されている。計測装置５００は、電力線に流れる電流や電圧、及び住宅全体で消費された電力を計測し、その計測結果を負荷制御装置１００に送信する。
【００１５】
なお、以下の説明では、理解を容易にするため、外部電力の供給が停止されることを「停電」、蓄電装置や発電装置等の電力を供給する装置を「給電装置」、電源系に接続された給電装置から供給される電力を「内部電力」と表現する。
【００１６】
以下、負荷制御装置１００の構成について詳細に説明する。
【００１７】
負荷制御装置１００は、図２に示すように、負荷装置４００等と通信する通信部１１０と、負荷制御装置１００の各部を制御する制御部１２０と、制御部１２０が制御に使用する各種データを記憶する記憶部１３０とから構成される。
【００１８】
通信部１１０は、蓄電装置３００、負荷装置４００、計測装置５００等と通信するための装置である。通信部１１０は、ＬＡＮ（Local Area Network）ケーブル接続装置等の有線通信装置、無線ＬＡＮ親機等の無線通信装置から構成される。通信部１１０は、負荷装置４００等から稼動状態等の各種情報を受信するとともに、受信した情報を制御部１２０に送信する。また、通信部１１０は、制御部１２０が負荷装置４００を制御するための「制御情報」を制御部１２０から受信するとともに、受信した制御情報を負荷装置４００に送信する。
【００１９】
制御部１２０は、プロセッサ等の処理装置から構成される。制御部１２０は不図示のＲＯＭ（Read Only Memory）やＲＡＭ（Random Access Memory）に格納されているプログラムに従って動作することで、後述の「稼動状態情報保存処理」、「稼動パターン情報生成処理」、「負荷制御処理」を含む種々の動作を実行する。制御部１２０は、「稼動状態情報保存処理」、「稼動パターン情報生成処理」、「負荷制御処理」を実行することで、図３に示すように、稼動状態情報保存部１２１と、稼動パターン情報生成部１２２と、停電検出部１２３と、上限値情報取得部１２４と、過去情報取得部１２５と、稼動制御部１２６として機能する。なお、これらの機能については、後述の「稼動状態情報保存処理」、「稼動パターン情報生成処理」、「負荷制御処理」の説明の箇所で述べる。
【００２０】
図２に戻り、記憶部１３０は、ＤＲＡＭ（Dynamic Random Access Memory）、ＳＲＡＭ（Static Random Access Memory）、フラッシュメモリ、ハードディスク等の記憶装置から構成される。記憶部１３０には、稼動状態データ１３１、稼動パターン情報１３２等の各種データが格納されている。
【００２１】
稼動状態データ１３１は、負荷装置４００の過去の稼動状態を一定時間毎（例えば１秒毎）に記録したデータである。稼動状態データ１３１は、図４に示すように、複数のデータから構成されている。データそれぞれには、負荷装置４００の稼動状態を記録した「稼動状態情報」と、その稼動状態情報を取得した「日時」と、その稼動状態における家全体の「消費電力」の情報と、が格納されている。このデータは、後述の「稼動状態情報保存処理」で生成される。
【００２２】
稼動状態情報は、負荷装置４００の過去の稼動状態を示す過去情報である。稼動状態情報は、例えば図５に示すように、エアコン、冷蔵庫、照明等の負荷装置４００の稼動状態を示す情報から構成されている。負荷装置４００の稼動状態としては、例えば、機器の識別番号、ＯＮ／ＯＦＦ状態、機器毎の設定項目（例えば、モード、設定温度、調光）等があげられる。なお、エアコンの００２番や照明の００３番のように、ＯＦＦ状態の機器については、設定項目の欄は「−（値なし）」となる。
【００２３】
稼動パターン情報１３２は、負荷装置４００の稼動パターンを示す過去情報である。稼動パターン情報１３２は、図６に示すように、時の属性を示す「属性情報」と、その属性情報が示す時に負荷装置４００が採る頻度の高かった稼動状態を記録した「稼動状態情報」と、その稼動状態における住宅全体の「消費電力」と、を関連付けた情報を複数記憶した情報である。ここで、「時の属性」とは、対象となる“時”を示す性質や特徴のことであり、例えば、季節、曜日、時間帯等があげられる。例えば、現在が２０１３年１月１日午前７時００分なのであれば、現在の“時の属性”は、“冬”、“火曜日”、“朝”等である。なお、時の属性には、“晴れ”、“雨”、“曇り”等、その時の天気も含まれる。
【００２４】
なお、稼動パターン情報１３２に記録される稼動状態情報は、図５に示す稼動状態情報と同じ項目から構成されていてもよい。また、図６では消費電力として１つの数値を記録しているが、７５０Ｗ〜１０００Ｗといったように範囲で記録してもよい。これは、消費電力には、負荷制御装置１００から制御できない機器の消費電力も含まれているため、制御できる負荷装置４００の稼動状態が同じでも消費電力が異なる場合があるためである。
【００２５】
次に、このような構成を有する負荷制御装置１００の動作について説明する。
【００２６】
負荷制御装置１００の動作は、「稼動状態情報保存処理」、「稼動パターン情報保存処理」、「負荷制御処理」に分けられる。負荷制御装置１００の制御部１２０は、例えば、マルチプロセス（マルチタスク）式のオペレーティングシステムに従って動作することで、「稼動状態情報保存処理」、「稼動パターン情報保存処理」、「負荷制御処理」を並行して実行する。
【００２７】
最初に、「稼動状態情報保存処理」について説明する。負荷制御装置１００に電源が投入されると、制御部１２０は一定時間毎（例えば、１秒毎）に稼動状態情報保存処理を実行する。稼動状態情報保存処理は、電源系２００に接続された負荷装置４００の稼動状態を記憶部１３０に保存するための処理である。以下、図７のフローチャートを参照して「稼動状態情報保存処理」を説明する。
【００２８】
制御部１２０の稼動状態情報保存部１２１は、通信部１１０を介して、負荷装置４００それぞれから、負荷装置４００それぞれの現在の稼動状態を示す情報を取得する（ステップＳ１０１）。
【００２９】
稼動状態情報保存部１２１は、ステップＳ１０１で取得した情報を１つにまとめて図５に示すような稼動状態情報を生成する（ステップＳ１０２）。
【００３０】
図７のフローに戻り、稼動状態情報保存部１２１は、計測装置５００から住宅全体の現在の消費電力の情報を取得する（ステップＳ１０３）。
【００３１】
稼動状態情報保存部１２１は、ステップＳ１０２で生成した稼動状態情報にステップＳ１０３で取得した消費電力の情報と現在日時の情報とを付して図４に示すようなデータを生成する（ステップＳ１０４）。
【００３２】
図７のフローに戻り、稼動状態情報保存部１２１は、ステップＳ１０４で生成したデータを稼動状態データ１３１の中に追加する（ステップＳ１０５）。追加が完了したら、制御部１２０は「稼動状態情報保存処理」を終了する。
【００３３】
次に、「稼動パターン情報生成処理」について説明する。負荷制御装置１００に電源が投入されると、制御部１２０は一定期間毎（例えば、１週間毎）に稼動パターン情報生成処理を実行する。稼動パターン情報生成処理は、後述の稼動状態選択処理で使用する稼動パターン情報を生成するための処理である。以下、図８のフローチャートを参照して「稼動パターン情報生成処理」を説明する。
【００３４】
制御部１２０の稼動パターン情報生成部１２２は、稼動状態データ１３１から過去一定期間分（例えば、過去１年間分）のデータを取得する（ステップＳ２０１）。
【００３５】
稼動パターン情報生成部１２２は、ステップＳ２０１で取得したデータに基づいて、例えば図６に示すような稼動パターン情報を生成する（ステップＳ２０２）。具体的には、稼動パターン情報生成部１２２は、ステップＳ２０１で取得したデータに含まれる日時の情報に基づき、取得したデータを複数のデータ群に分類する。例えば、ステップＳ２０１で取得したデータが一年間分のデータなのであれば、稼動パターン情報生成部１２２は、取得したデータを同一季節及び同一時間帯の複数のデータ群に分類する。季節が春、夏、秋、冬の４通り、時間帯が朝、昼、夕、夜の４通りとすれば、データは１６個のデータ群に分類される。そして、稼動パターン情報生成部１２２は、データ群毎に稼動状態情報を解析し、そのデータ群において出現頻度の高い稼動状態を抽出する。なお、抽出する稼動状態はデータ群１つにつき複数あってもよい。例えば、稼動パターン情報生成部１２２は、消費電力レベルが異なる複数の稼動状態を抽出する。稼動パターン情報生成部１２２は、抽出した稼動状態それぞれに季節及び時間帯の情報と消費電力の情報とを付し、例えば図６に示すような稼動パターン情報を生成する。
【００３６】
図８のフローに戻り、稼動パターン情報生成部１２２は、ステップＳ２０２で生成した稼動パターン情報を記憶部１３０に保存する（ステップＳ２０３）。保存が完了したら、制御部１２０は「稼動パターン情報生成処理」を終了する。
【００３７】
次に、「負荷制御処理」について説明する。負荷制御装置１００に電源が投入されると、制御部１２０は負荷制御処理を実行する。負荷制御処理は、停電発生後に負荷装置４００の稼動状態を制御するための処理である。以下、図９のフローチャートを参照して「負荷制御処理」を説明する。
【００３８】
制御部１２０の停電検出部１２３は、通信部１１０を介して計測装置５００から外部電力の情報（例えば、電流や電圧の計測値）を取得する。そして、停電検出部１２３は、取得した外部電力の情報に基づいて外部電力の供給が停止したか、すなわち停電が発生したか判別する（ステップＳ３１０）。停電が発生していない場合（ステップＳ３１０：Ｎｏ）、停電の発生を検出するまでステップＳ３１０を繰り返す。停電が発生した場合（ステップＳ３１０：Ｙｅｓ）、ステップＳ３２０に進む。
【００３９】
制御部１２０の上限値情報取得部１２４は、蓄電装置３００から仕様情報（例えば、放電出力最大値の情報）や現在の蓄電量の情報を取得し、取得した情報に基づいて負荷装置４００が消費可能な消費電力の上限値を算出する（ステップＳ３２０）。なお、上限値は、蓄電装置３００の放電出力最大値（仕様値）から一定量削減した値（例えば最大値の８０％）であってもよい。また、停電期間を想定（またはユーザから入力）し、現在の蓄電量から１時間あたり使用電力量を計算し、その値に基づいて上限値を決定してもよい。例えば、蓄電量が５ｋＷｈで、５時間使用するとすれば、１時間当たり１ｋＷｈであり、この値から上限値を１ｋＷに決定する。あるいは、１ｋＷｈを３０分で使用し、残りの３０分は使用しないと仮定し、上限値を２ｋＷとしてもよい。なお、算出した上限値が、蓄電装置３００の仕様上の放電出力最大値を超えた場合は、使用上の放電出力最大値を上限値とする。
【００４０】
制御部１２０の過去情報取得部１２５は、稼動状態データ１３１から停電発生の直前に記録されたデータを取得する（ステップＳ３３０）。
【００４１】
制御部１２０の稼動制御部１２６は、ステップＳ３３０で取得したデータに記録されている停電発生直前の住宅の消費電力が、ステップＳ３２０で取得した上限値以下か判別する（ステップＳ３４０）。
【００４２】
上限値以下の場合（ステップＳ３４０：Ｙｅｓ）、稼動制御部１２６は、負荷装置４００の稼動状態がステップＳ３３０で取得したデータに記録されている停電発生直前の稼動状態となるよう、負荷装置４００を制御する。より具体的には、稼動制御部１２６は、負荷装置４００が停電発生直前の稼動状態となるよう、通信部１１０を介して負荷装置４００それぞれに制御情報を送信する（ステップＳ３５０）。
【００４３】
上限値を超えている場合（ステップＳ３４０：Ｎｏ）、稼動制御部１２６は、負荷装置４００の過去の稼動状態の情報（稼動パターン情報１３２）に基づいて負荷装置４００が採るべき稼動状態を選択する「稼動状態選択処理」を実行する（ステップＳ３６０）。以下、図１０のフローチャートを参照して「稼動状態選択処理」を説明する。
【００４４】
稼動制御部１２６は、稼動パターン情報１３２に記録されている情報の中で基準を満たす情報を抽出する。具体的には、稼動制御部１２６は、稼動パターン情報１３２に記録されている情報の中から、現在の“時の属性”と一致する属性情報を持ち、かつ、消費電力がステップＳ３２０で取得した上限値以下の消費電力情報を持つ情報を抽出する（ステップＳ３６１）。例えば、現在が２０１３年１月１日午前７時００分であり、ステップＳ３２０で取得した上限値が１３００Ｗなのであれば、稼動制御部１２６は、図６に示す稼動パターン情報１３２の中から、現在の“時の属性”（すなわち、冬、朝）と一致する属性情報を持ち、消費電力が１３００Ｗ以下となっている“情報１”と“情報２”を抽出する。
【００４５】
稼動制御部１２６は、抽出された情報は存在するか判別する（ステップＳ３６２）。抽出された情報が存在しない場合（ステップＳ３６２：Ｎｏ）、稼動制御部１２６は稼動状態選択処理を終了する。抽出された情報が存在する場合（ステップＳ３６２：Ｙｅｓ）、稼動制御部１２６は、さらに抽出された情報が複数あるか判別する（ステップＳ３６３）。
【００４６】
抽出された情報が１つしかない場合（ステップＳ３６３：Ｎｏ）、稼動制御部１２６は、その抽出された情報に記録されている稼動状態情報を、選択した稼動状態情報として、例えば不図示のＲＡＭに保存する（ステップＳ３６４）。
【００４７】
抽出された情報が複数ある場合（ステップＳ３６３：Ｙｅｓ）、稼動制御部１２６は、抽出された情報の中で消費電力が最大の情報に記録されている稼動状態情報を、選択した稼動状態情報として、例えば不図示のＲＡＭに保存する（ステップＳ３６５）。
【００４８】
ＲＡＭへの保存が完了したら、図９のフローに戻り、稼動制御部１２６は、負荷装置４００の稼動状態がステップＳ３３０で選択した稼動状態情報に記録されている稼動状態となるよう、負荷装置４００を制御する。より具体的には、稼動制御部１２６は、負荷装置４００がステップＳ３３０で選択した稼動状態情報に記録されている稼動状態となるよう、通信部１１０を介して負荷装置４００それぞれに制御情報を送信する（ステップＳ３７０）。
【００４９】
制御情報の送信が終わったら、制御部１２０は、ステップＳ３１０に戻り、停電の発生を待機する。
【００５０】
本実施の形態によれば、停電発生後に、負荷制御装置１００が過去情報に基づいて負荷装置４００を制御しているので、停電が発生しても負荷装置４００の稼動状態を利便性が高いまま維持できる。特に、停電発生直前の消費電力が蓄電装置３００の電力供給能力の上限値を超えない場合は、負荷装置４００の稼動状態が停電発生直前の稼動状態と同じになるよう、負荷制御装置１００が負荷装置４００を制御しているので、ユーザの不便・不快を極めて少なくできる。
【００５１】
また、停電発生前の消費電力が上限値を超えている場合も、過去の同一季節、同一時間帯に通常使用されている稼動状態と同じ稼動状態になるよう負荷制御装置１００が負荷装置４００を制御しているので、ユーザの利便性の低下を最小限に抑えることができる。
【００５２】
また、稼動パターン情報１３２の中から候補となる稼動状態が複数抽出された場合、負荷制御装置１００は、抽出された複数の稼動状態の中から上限値を超えない範囲で最大の消費電力となる稼動状態を選択している。そのため、負荷装置４００の稼動状態をより普段の稼動状態に近づけることができるので、ユーザの利便性の低下を最小限に抑えることができる。
【００５３】
なお、上述の実施の形態では、負荷制御装置１００は、停電発生直前の消費電力が上限値を超えている場合は、稼動状態選択処理の選択結果に基づき負荷装置４００を制御した（図９に示すステップＳ３６０、ステップＳ３７０）。しかしながら、図９に示す負荷制御処理からステップＳ３６０とステップＳ３７０の処理を取り除き、停電発生直前の消費電力が上限値以下の場合のみ負荷制御装置１００が負荷装置４００を制御するようにしてもよい。このような構成であっても、ユーザの利便性の低下を十分に抑制できる。
【００５４】
（実施の形態２）
実施の形態１では、停電発生直前の消費電力が蓄電装置３００の電力供給能力の上限値を超えている場合に、稼動パターン情報１３２を使って負荷装置４００を制御した。しかし、停電発生直前の消費電力が上限値を超えているか否かに関わらず、稼動パターン情報１３２を使って負荷装置４００を制御することも可能である。以下、停電発生直前の消費電力が上限値を超えているか否かに関わらず、稼動パターン情報１３２を使って負荷装置４００を制御する負荷制御装置１００について説明する。
【００５５】
負荷制御装置１００は、実施の形態１と同様に、通信部１１０と、制御部１２０と、記憶部１３０とから構成される。通信部１１０と、制御部１２０と、記憶部１３０との構成は実施の形態１と同じであるので説明を省略する。
【００５６】
負荷制御装置１００の動作は、「稼動状態情報保存処理」、「稼動パターン情報保存処理」、「負荷制御処理」に分けられる。「稼動状態情報保存処理」と「稼動パターン情報保存処理」は実施の形態１と同じであるので説明を省略する。
【００５７】
負荷制御装置１００に電源が投入されると、制御部１２０は負荷制御処理を実行する。以下、図１１のフローチャートを参照して「負荷制御処理」を説明する。
【００５８】
停電検出部１２３は、計測装置５００から取得した外部電力の情報に基づいて停電が発生したか判別する（ステップＳ３１０）。停電が発生していない場合（ステップＳ３１０：Ｎｏ）、停電の発生を検出するまでステップＳ３１０を繰り返す。停電が発生した場合（ステップＳ３１０：Ｙｅｓ）、ステップＳ３２０に進む。
【００５９】
上限値情報取得部１２４は、蓄電装置３００から取得した情報に基づいて負荷装置４００が消費可能な消費電力の上限値を算出する（ステップＳ３２０）。
【００６０】
稼動制御部１２６は、稼動パターン情報１３２に基づいて負荷装置４００が採るべき稼動状態を選択する「稼動状態選択処理」を実行する（ステップＳ３６０）。稼動状態選択処理は実施の形態１と同じであるので説明を省略する。
【００６１】
稼動制御部１２６は、負荷装置４００の稼動状態がステップＳ３３０で選択した稼動状態情報に記録されている稼動状態となるよう、負荷装置４００を制御する（ステップＳ３７０）。
【００６２】
ステップＳ３７０の実行が終わったら、制御部１２０は、ステップＳ３１０に戻り、再び、停電の発生を待機する。
【００６３】
本実施の形態によれば、停電発生直前と同じ稼動状態となるよう負荷制御装置１００が負荷装置４００を制御しない場合であっても、負荷装置４００の稼動状態を利便性が高いまま維持できる。
【００６４】
（実施の形態３）
実施の形態１では、停電発生直前の消費電力が蓄電装置３００の電力供給能力の上限値を超えている場合のみ、稼動パターン情報１３２を使用して負荷装置４００を制御した。しかし、稼動パターン情報１３２は、停電発生直前の消費電力が上限値以下の場合も使用可能である。以下、停電発生直前の消費電力が上限値以下の場合も稼動パターン情報１３２を使用する負荷制御装置１００について説明する。
【００６５】
負荷制御装置１００は、実施の形態１と同様に、通信部１１０と、制御部１２０と、記憶部１３０とから構成される。通信部１１０と、制御部１２０と、記憶部１３０との構成は実施の形態１と同じであるので説明を省略する。
【００６６】
負荷制御装置１００の動作は、「稼動状態情報保存処理」、「稼動パターン情報保存処理」、「負荷制御処理」に分けられる。「稼動状態情報保存処理」と「稼動パターン情報保存処理」は実施の形態１と同じであるので説明を省略する。
【００６７】
負荷制御装置１００に電源が投入されると、制御部１２０は負荷制御処理を実行する。以下、図１２のフローチャートを参照して「負荷制御処理」を説明する。
【００６８】
停電検出部１２３は、計測装置５００から取得した外部電力の情報に基づいて停電が発生したか判別する（ステップＳ３１０）。停電が発生していない場合（ステップＳ３１０：Ｎｏ）、停電の発生を検出するまでステップＳ３１０を繰り返す。停電が発生した場合（ステップＳ３１０：Ｙｅｓ）、ステップＳ３２０に進む。
【００６９】
上限値情報取得部１２４は、蓄電装置３００から取得した情報に基づいて負荷装置４００が消費可能な消費電力の上限値を算出する（ステップＳ３２０）。
【００７０】
制御部１２０の過去情報取得部１２５は、稼動状態データ１３１から停電発生の直前に記録されたデータを取得する（ステップＳ３３０）。
【００７１】
制御部１２０の稼動制御部１２６は、停電発生直前の住宅の消費電力が、ステップＳ３２０で取得した上限値以下か判別する（ステップＳ３４０）。上限値より大きい場合、稼動制御部１２６はステップＳ３６０に進む。上限値以下の場合、稼動制御部１２６はステップＳ３８０に進む。
【００７２】
制御部１２０の稼動制御部１２６は、停電発生直前の住宅の消費電力が、上限値に近い値かどうかを判別する（ステップＳ３８０）。判定に際しては、予め閾値（例えば、上限の８０％）を設定しておき、それを超えれば近い値と見なす。上限値に近い場合（ステップＳ３８０：Ｙｅｓ）、稼動制御部１２６は、負荷装置４００の稼動状態が停電発生直前の稼動状態となるよう、負荷装置４００を制御する（ステップＳ３５０）。
【００７３】
上限値を超えている場合（ステップＳ３４０：Ｎｏ）、もしくは上限値より一定以上小さい値の場合（ステップＳ３８０：Ｎｏ）、稼動制御部１２６は、稼動パターン情報１３２に基づいて負荷装置４００が採るべき稼動状態を選択する「稼動状態選択処理」を実行する（ステップＳ３６０）。稼動状態選択処理は実施の形態１と同じであるので説明を省略する。
【００７４】
稼動制御部１２６は、負荷装置４００の稼動状態がステップＳ３３０で選択した稼動状態情報に記録されている稼動状態となるよう、負荷装置４００を制御する（ステップＳ３７０）。
【００７５】
ステップＳ３７０またはステップＳ３５０の実行が終わったら、制御部１２０は、ステップＳ３１０に戻り、再び、停電の発生を待機する。
【００７６】
本実施の形態によれば、上限値が停電直前の住宅全体の消費電力に近い場合には、負荷装置４００の稼動状態が停電直前の稼動状態となるよう負荷装置４００を制御し、そうでない場合には、過去の同季節、同時間帯に通常使用されている稼動状態となるよう負荷装置４００を制御している。そのため、負荷装置４００の停電直後の稼動状態を、より普段の稼動状態に近づけることができる。その結果、ユーザの不便・不快を最小限に抑えることができる。
【００７７】
また、停電直前の家全体の消費電力が、上限値と比べて一定量以上小さい場合には、過去の同季節、同時間帯に通常使用されている稼動状態の中で、上限値に近い消費電力の稼動状態を選択している。負荷装置４００を追加的に稼動させることができるので、ユーザの不便・不快をさらに抑制できる。
【００７８】
なお、上述の各実施の形態は一例であり、種々の変更及び応用が可能である。
【００７９】
例えば、上述の実施の形態では電源系２００を単相三線電源として説明したが、電源系２００は単相三線電源に限定されず、例えば、単相二線電源であってもよい。
【００８０】
また、上述の実施の形態では電源系２００を宅内配電系統として説明したが、電源系２００は宅内配電系統に限定されず、例えば、オフィスビルや工場等の配電系統であってもよい。
【００８１】
また、上述の実施の形態では蓄電装置３００をリチウムイオン電池として説明したが、蓄電装置３００はリチウムイオン電池に限定されず、例えば、鉛電池、ニッケルカドミウム電池、ニッケル水素電池等の他の二次電池であってもよい。また、蓄電装置３００は、住宅の敷地等に固定される定置型の蓄電池に限定されず、例えば、電気自動車やハイブリッド車のバッテリ等の移動型の蓄電池であってもよい。
【００８２】
また、停電時に負荷装置４００に電力を供給する給電装置は蓄電装置に限定されず、例えば、太陽電池パネルや発電機等の発電装置であってもよい。
【００８３】
本実施の形態の負荷制御装置１００は、専用のシステムにより実現してもよいし、通常のコンピュータシステムにより実現してもよい。例えば、上述の動作を実行するためのプログラムをコンピュータ読み取り可能な記録媒体に格納して配布し、該プログラムをコンピュータにインストールして、上述の処理を実行することによって負荷制御装置１００を構成してもよい。また、インターネット等のネットワーク上のサーバ装置が備えるディスク装置に格納しておき、例えばコンピュータにダウンロード等できるようにしてもよい。また、上述の機能を、ＯＳとアプリケーションソフトとの共同により実現してもよい。この場合には、ＯＳ以外の部分のみを媒体に格納して配布してもよく、また、コンピュータにダウンロード等してもよい。
【００８４】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００８５】
１００  負荷制御装置、１１０  通信部、１２０  制御部、１２１  稼動状態情報保存部、１２２  稼動パターン情報生成部、１２３  停電検出部、１２４  上限値情報取得部、１２５  過去情報取得部、１２６  稼動制御部、１３０  記憶部、１３１  稼動状態データ、１３２  稼動パターン情報、２００  電源系、２１０  配電盤、３００  蓄電装置、４００  負荷装置、５００  計測装置。
【図１】
2014184870.tif 000003
【図２】
2014184870.tif 000004
【図３】
2014184870.tif 000005
【図４】
2014184870.tif 000006
【図５】
2014184870.tif 000007
【図６】
2014184870.tif 000008
【図７】
2014184870.tif 000009
【図８】
2014184870.tif 000010
【図９】
2014184870.tif 000011
【図１０】
2014184870.tif 000012
【図１１】
2014184870.tif 000013
【図１２】
2014184870.tif 000014
【手続補正書】
【提出日】平成27年10月1日(2015.10.1)
【手続補正１】
【補正対象書類名】明細書
【補正対象項目名】０００８
【補正方法】変更
【補正の内容】
【０００８】
上記目的を達成するため、本発明に係る負荷制御装置は、
住宅に設置された給電装置から電力を供給可能な電源系に接続された負荷装置を制御する負荷制御装置であって、
前記給電装置により前記住宅に供給可能な電力の上限値を入力する上限値入力手段と、
停電の発生を検出する停電検出手段と、
停電が発生した際に、停電発生直前の前記住宅の消費電力が前記上限値以下である場合に、前記停電発生直前の稼動状態となるように前記負荷装置を制御する稼動制御手段と、を備える。
【手続補正２】
【補正対象書類名】特許請求の範囲
【補正対象項目名】全文
【補正方法】変更
【補正の内容】
【特許請求の範囲】
【請求項１】
住宅に設置された給電装置から電力を供給可能な電源系に接続された負荷装置を制御する負荷制御装置であって、
前記給電装置により前記住宅に供給可能な電力の上限値を入力する上限値入力手段と、
停電の発生を検出する停電検出手段と、
停電が発生した際に、停電発生直前の前記住宅の消費電力が前記上限値以下である場合に、前記停電発生直前の稼動状態となるように前記負荷装置を制御する稼動制御手段と、を備える、
負荷制御装置。
【請求項２】
住宅に設置された給電装置から電力を供給可能な電源系に接続された負荷装置を制御する負荷制御装置であって、
前記給電装置により前記住宅に供給可能な電力の上限値を入力する上限値入力手段と、
停電の発生を検出する停電検出手段と、
時の属性を示す属性情報と、その属性情報が示す時に前記負荷装置が採る頻度の高かった稼動状態を示す情報と、その稼動状態における前記住宅の消費電力の値と、を関連付けた稼動パターン情報を記憶する稼動パターン記憶手段と、
停電が発生した際に、現在の時の属性と一致し、かつ前記上限値以下の消費電力の値を有する稼動パターン情報が示す稼動状態となるように前記負荷装置を制御する稼動制御手段と、を備える、
負荷制御装置。
【請求項３】
前記稼動制御手段は、停電が発生した際に、停電発生直前の前記住宅の消費電力が前記上限値以下である場合は前記停電発生直前の稼動状態となるように前記負荷装置を制御し、前記上限値以下でない場合は前記稼動パターン情報が示す稼動状態となるように前記負荷装置を制御する、
請求項２に記載の負荷制御装置。
【請求項４】
前記稼動制御手段は、
停電が発生した際に、停電発生直前の前記住宅の消費電力が前記上限値以下でありかつ前記上限値から一定の範囲に収まっている場合には、前記停電発生直前の稼動状態となるように前記負荷装置を制御し、
収まっていない場合には、前記稼動パターン情報が示す稼動状態となるように前記負荷装置を制御する、
請求項２に記載の負荷制御装置。
【請求項５】
前記負荷装置の過去の稼動状態の履歴情報に基づいて前記稼動パターン記憶手段に記憶する稼動パターン情報を生成する稼動パターン情報生成手段、を備える、
請求項２から４のいずれか１項に記載の負荷制御装置。
【請求項６】
前記稼動制御手段は、現在の時の属性と一致し、かつ前記上限値以下の消費電力の値を有する稼動パターン情報が前記稼動パターン記憶手段に複数記憶されている場合、最大の消費電力の値を有する稼動パターン情報が示す稼動状態となるように前記負荷装置を制御する、
請求項２から５のいずれか１項に記載の負荷制御装置。
【請求項７】
前記給電装置は、蓄電装置であり、
前記上限値入力手段は、前記蓄電装置の蓄電量に基づいた前記上限値を入力する、
請求項１から６のいずれか１項に記載の負荷制御装置。
【請求項８】
住宅に設置された給電装置から電力を供給可能な電源系に接続された負荷装置を制御する負荷制御方法であって、
前記給電装置により前記住宅に供給可能な電力の上限値を入力する上限値入力ステップと、
停電の発生を検出する停電検出ステップと、
停電が発生した際に、停電発生直前の前記住宅の消費電力が前記上限値以下である場合に、前記停電発生直前の稼動状態となるように前記負荷装置を制御する稼動制御ステップと、を有する、
負荷制御方法。
【請求項９】
住宅に設置された給電装置から電力を供給可能な電源系に接続された負荷装置を制御する負荷制御装置であって、
前記給電装置により前記住宅に供給可能な電力の上限値を入力する上限値入力ステップと、
停電の発生を検出する停電検出ステップと、
時の属性を示す属性情報と、その属性情報が示す時に前記負荷装置が採る頻度の高かった稼動状態を示す情報と、その稼動状態における前記住宅の消費電力の値と、を関連付けた稼動パターン情報を記憶する稼動パターン記憶ステップと、
停電が発生した際に、現在の時の属性と一致し、かつ前記上限値以下の消費電力の値を有する稼動パターン情報が示す稼動状態となるように前記負荷装置を制御する稼動制御ステップと、を有する、
負荷制御方法。
【請求項１０】
住宅に設置された給電装置から電力を供給可能な電源系に接続された負荷装置を制御するコンピュータに、
前記給電装置により前記住宅に供給可能な電力の上限値を入力する上限値入力機能、
停電の発生を検出する停電検出機能、
停電が発生した際に、停電発生直前の前記住宅の消費電力が前記上限値以下である場合に、前記停電発生直前の稼動状態となるように前記負荷装置を制御する稼動制御機能、
を実現させるためのプログラム。
【請求項１１】
住宅に設置された給電装置から電力を供給可能な電源系に接続された負荷装置を制御するコンピュータに、
前記給電装置により前記住宅に供給可能な電力の上限値を入力する上限値入力機能、
停電の発生を検出する停電検出機能、
時の属性を示す属性情報と、その属性情報が示す時に前記負荷装置が採る頻度の高かった稼動状態を示す情報と、その稼動状態における前記住宅の消費電力の値と、を関連付けた稼動パターン情報を記憶する稼動パターン記憶機能、
停電が発生した際に、現在の時の属性と一致し、かつ前記上限値以下の消費電力の値を有する稼動パターン情報が示す稼動状態となるように前記負荷装置を制御する稼動制御機能、
を実現させるためのプログラム。
【手続補正書】
【提出日】平成28年11月24日(2016.11.24)
【手続補正１】
【補正対象書類名】明細書
【補正対象項目名】０００８
【補正方法】変更
【補正の内容】
【０００８】
上記目的を達成するため、本発明に係る負荷制御装置は、
住宅に設置された給電装置から電力を供給可能な電源系に接続された負荷装置を制御する負荷制御装置であって、
時の属性を示す属性情報と、その属性情報が示す時に前記負荷装置が採る頻度の高かった稼動状態を示す情報と、その稼動状態における前記住宅の消費電力の値と、を関連付けた稼動パターン情報を記憶する稼動パターン記憶手段と、
停電が発生した際に、現在の時の属性と一致し、かつ前記給電装置により前記住宅に供給可能な電力の上限値以下の消費電力の値を有する稼動パターン情報が示す稼動状態となるように前記負荷装置を制御する稼動制御手段と、を備える。
【手続補正２】
【補正対象書類名】特許請求の範囲
【補正対象項目名】全文
【補正方法】変更
【補正の内容】
【特許請求の範囲】
【請求項１】
住宅に設置された給電装置から電力を供給可能な電源系に接続された負荷装置を制御する負荷制御装置であって、
時の属性を示す属性情報と、その属性情報が示す時に前記負荷装置が採る頻度の高かった稼動状態を示す情報と、その稼動状態における前記住宅の消費電力の値と、を関連付けた稼動パターン情報を記憶する稼動パターン記憶手段と、
停電が発生した際に、現在の時の属性と一致し、かつ前記給電装置により前記住宅に供給可能な電力の上限値以下の消費電力の値を有する稼動パターン情報が示す稼動状態となるように前記負荷装置を制御する稼動制御手段と、を備える、
負荷制御装置。
【請求項２】
前記稼動制御手段は、停電が発生した際に、停電発生直前の前記住宅の消費電力が前記上限値以下である場合は前記停電発生直前の稼動状態となるように前記負荷装置を制御し、前記上限値以下でない場合は前記稼動パターン情報が示す稼動状態となるように前記負荷装置を制御する、
請求項１に記載の負荷制御装置。
【請求項３】
前記稼動制御手段は、
停電が発生した際に、停電発生直前の前記住宅の消費電力が前記上限値以下でありかつ前記上限値から一定の範囲に収まっている場合には、前記停電発生直前の稼動状態となるように前記負荷装置を制御し、
収まっていない場合には、前記稼動パターン情報が示す稼動状態となるように前記負荷装置を制御する、
請求項１に記載の負荷制御装置。
【請求項４】
前記負荷装置の過去の稼動状態の履歴情報に基づいて前記稼動パターン記憶手段に記憶する稼動パターン情報を生成する稼動パターン情報生成手段、を備える、
請求項１から３のいずれか１項に記載の負荷制御装置。
【請求項５】
前記稼動制御手段は、現在の時の属性と一致し、かつ前記上限値以下の消費電力の値を有する稼動パターン情報が前記稼動パターン記憶手段に複数記憶されている場合、最大の消費電力の値を有する稼動パターン情報が示す稼動状態となるように前記負荷装置を制御する、
請求項１から４のいずれか１項に記載の負荷制御装置。
【請求項６】
前記給電装置は、蓄電装置であり、
前記上限値は、前記蓄電装置の蓄電量に基づいた値である、
請求項１から５のいずれか１項に記載の負荷制御装置。
【請求項７】
前記上限値を取得する上限値取得手段を備える、
請求項１から６のいずれか１項に記載の負荷制御装置。
【請求項８】
停電の発生を検出する停電検出手段を備える、
請求項１から７のいずれか１項に記載の負荷制御装置。
【請求項９】
住宅に設置された給電装置から電力を供給可能な電源系に接続された負荷装置を制御する負荷制御方法であって、
時の属性を示す属性情報と、その属性情報が示す時に前記負荷装置が採る頻度の高かった稼動状態を示す情報と、その稼動状態における前記住宅の消費電力の値と、を関連付けた稼動パターン情報を記憶する稼動パターン記憶ステップと、
停電が発生した際に、現在の時の属性と一致し、かつ前記給電装置により前記住宅に供給可能な電力の上限値以下の消費電力の値を有する稼動パターン情報が示す稼動状態となるように前記負荷装置を制御する稼動制御ステップと、を有する、
負荷制御方法。
【請求項１０】
住宅に設置された給電装置から電力を供給可能な電源系に接続された負荷装置を制御するコンピュータに、
時の属性を示す属性情報と、その属性情報が示す時に前記負荷装置が採る頻度の高かった稼動状態を示す情報と、その稼動状態における前記住宅の消費電力の値と、を関連付けた稼動パターン情報を記憶する稼動パターン記憶機能、
停電が発生した際に、現在の時の属性と一致し、かつ前記給電装置により前記住宅に供給可能な電力の上限値以下の消費電力の値を有する稼動パターン情報が示す稼動状態となるように前記負荷装置を制御する稼動制御機能、
を実現させるためのプログラム。
【国際調査報告】
2014184870.tif 000015
2014184870.tif 000016